(57)【特許請求の範囲】
【請求項１】
映像信号から同期信号を分離する同期分離手段と、
前記同期分離手段の出力および別経路より入力されている水平同期信号もしくは複合同期信号を入力として各入力の信号変化タイミングにおける相互の信号レベルが予め想定したものであるか判定することによって前記映像信号に前記同期信号が付加されているかどうかを判定しその結果を判定結果信号として出力する同期信号付加判定手段と、
前記判定結果信号に基きクランプパルスの位相および幅を規定するクランプパルス制御手段と、前記別経路より入力されている水平同期信号もしくは複合同期信号を入力とし、前記クランプパルス制御手段の出力に従った位相と幅を有する前記クランプパルスを出力するクランプパルス生成回路とを備え、
前記同期信号付加判定手段として、前記別経路より入力されている水平同期信号もしくは複合同期信号パルスの立上り・立下りタイミングでの前記同期分離手段の出力レベルを保持する第一および第二のフリップフロップと、前記同期分離手段の出力パルスの立上り・立下りタイミングでの前記別経路より入力されている水平同期信号もしくは複合同期信号の出力レベルを保持する第三および第四のフリップフロップと、前記同期分離手段の出力が映像信号に同期信号が付加されているかどうかの判定結果信号を出力するように前記第一・第二および第三・第四のフリップフロップの各反転・非反転出力のいずれかを入力とする論理積回路とで構成することを特徴とするクランプ回路。
【請求項２】
映像信号から同期信号を分離する同期分離手段と、
前記同期分離手段の出力および別経路より入力されている水平同期信号もしくは複合同期信号を入力として各入力の信号変化タイミングにおける相互の信号レベルが予め想定したものであるか判定することによって前記映像信号に前記同期信号が付加されているかどうかを判定しその結果を判定結果信号として出力する同期信号付加判定手段と、
前記判定結果信号に基きクランプパルスの位相および幅を規定するクランプパルス制御手段と、前記別経路より入力されている水平同期信号もしくは複合同期信号を入力とし、前記クランプパルス制御手段の出力に従った位相と幅を有する前記クランプパルスを出力するクランプパルス生成回路とを備え、
前記同期信号付加判定手段として、前記別経路より入力されている水平同期信号もしくは複合同期信号パルスの前縁部のタイミングでの前記同期分離手段の出力レベルを保持する第一のフリップフロップと、前記第一のフリップフロップの出力が前記映像信号に同期信号が付加されていた場合に真となる側の論理出力を一方の入力とし前記別経路より入力されている水平同期信号もしくは複合同期信号を他方の入力とする第一の論理積回路と、前記第一の論理積回路の出力を前記同期分離手段の出力パルスの前縁部のタイミングで保持する第二のフリップフロップと、前記第二のフリップフロップの出力が前記映像信号に同期信号が付加されていた場合に真となる側の論理出力を一方の入力とし前記同期分離手段の出力パルスを他方の入力とする第二の論理積回路と、前記第二の論理積回路の出力を前記同期分離手段の出力パルスの後縁部のタイミングで保持する第三のフリップフロップと、前記別経路より入力されている水平同期信号もしくは複合同期信号パルスの後縁部のタイミングより微少時間遅らせたタイミングで前記第三のフリップフロップの出力レベルを取込んで前記判定結果信号を出力するフリップフロップと、前記別経路より入力されている水平同期信号もしくは複合同期信号パルスの後縁部のタイミングより微少時間遅らせたタイミングよりさらに微少時間遅らせたタイミングで前記第一・第二・第三のフリップフロップを初期化する手段とを設けたことを特徴とするクランプ回路。
【請求項３】
映像信号から同期信号を分離する同期分離手段と、
前記同期分離手段の出力および別経路より入力されている水平同期信号もしくは複合同期信号を入力として各入力の信号変化タイミングにおける相互の信号レベルが予め想定したものであるか判定することによって前記映像信号に前記同期信号が付加されているかどうかを判定しその結果を判定結果信号として出力する同期信号付加判定手段と、
前記判定結果信号に基きクランプパルスの位相および幅を規定するクランプパルス制御手段と、前記別経路より入力されている水平同期信号もしくは複合同期信号を入力とし、前記クランプパルス制御手段の出力に従った位相と幅を有する前記クランプパルスを出力するクランプパルス生成回路とを備え、
前記同期信号付加判定手段として、前記判定結果信号が前記映像信号に同期信号が付加されていたと判定された出力レベルの時にカウントが可能となり、前記判定結果信号が前記映像信号に同期信号が付加されていたと判定された出力レベルから変化した時に初期化されるカウンタと、前記カウンタのカウント値が水平周期に比べて十分長い周期の設定値まで到達した時に検出信号を出力するフリップフロップとで構成されるノイズフィルタを備えたことを特徴とするクランプ回路。
【発明の詳細な説明】
【０００１】
【発明の属する技術分野】
本発明は、パーソナルコンピュータ(以下ＰＣと略す）やワークステーション(以下ＷＳと略す）などのコンピュータシステムからの多種多様な映像信号を受信し、表示するＣＲＴディスプレイ装置などの表示装置において、映像信号の基準レベルの再生に用いられるクランプ回路もしくは直流再生回路に関するものである。
【０００２】
【従来の技術】
ＰＣもしくはＷＳから入力される映像信号は、表示装置内部で振幅調整、レベル調整などの映像信号処理が独立して行えるように表示装置入力部でコンデンサにより外部インターフェースと分離される。このため、表示装置内部で映像信号処理時に直流レベルの再生すなわちクランプ処理が必要となる。クランプ処理が行われないと、基準となる黒レベルが再現できないため、表示画面上の色が不正規なものになってしまう。
【０００３】
クランプ処理としては、例えばＮＨＫテレビ技術教科書(上）の154から155ページに記載してあるような、ペデスタルクランプと呼ばれる、映像信号中の帰線期間内に一定幅のパルスを供給し、そのパルス期間の映像信号レベルを基準の黒レベルとする方法が行われている。
【０００４】
ところで、入力される映像信号に、水平・垂直同期信号がどのように付加されているかによって何通りかの方式がある。すなわち、映像信号の水平・垂直帰線期間に付加する方式(多くの場合、Greenにあたる映像信号に付加されるのでSync On Greenと呼ばれる。以下SOG信号とする。）と、映像信号と別にディジタル信号として水平・垂直同期信号が入力される方式がある。別に水平・垂直同期信号が入力される場合においても水平同期信号と垂直同期信号が独立して入力される方式と水平・垂直同期信号が一緒になって複合同期信号として入力される方式の二通りの方式がある。
【０００５】
SOG信号の場合はRed、Green、Blueの３つの映像信号のみで表示装置側で同期再生できるため、３線式と呼ばれる。映像信号とは別に水平・垂直同期信号が入力される方式では、水平・垂直同期信号が独立して入力される方式は、Red、Green、Blueの映像信号の他に２入力必要なため、５線式と呼ばれ、複合同期信号として入力される方式は１入力の追加ですむので４線式と呼ばれる。表示装置側では、入力される映像信号が、これら３線・４線・５線入力信号のいずれにあたるかを判別し、例えば４線式の入力である場合には水平同期信号と垂直同期信号を分離する処理を行うなどの、入力信号に応じた処理を行っている。
【０００６】
ここで、前述した３線・４線・５線式入力と映像信号の黒レベルの再生用のクランプパルスの位相・幅との関係を述べる。本来、映像信号の黒レベルを安定して再生するためには、水平・垂直帰線期間内の可能な限り広い期間にクランプをかけることが望ましい。しかしながら、３線式入力の場合は、映像信号の水平・垂直帰線期間内に水平・垂直同期信号が付加されており、クランプがこの同期期間にかかると黒レベルが不正規になってしまうため、通常は同期期間を避けてバックポーチ期間内にクランプがかかるように、クランプパルスの位相・幅が設定される。
【０００７】
また４線・５線式入力では、例えば水平・垂直同期信号期間と同位相になるようにクランプパルスを設定すれば、３線式の場合よりも広い期間にクランプをかけられることになり、より安定した映像信号の黒レベルの再生が可能となる。
【０００８】
ところが、映像信号の中には、前述した４線・５線式のように映像信号と独立した水平・垂直同期信号が別に入力されているにもかかわらず、映像信号そのものにもSOG信号と同様にGreenの映像信号に水平・垂直同期信号が付加されているものがある。この場合、表示装置側では別入力の水平・垂直同期信号が検知されるので５線式入力と解釈してしまい、クランプパルスの位相を水平・垂直同期信号と同位相に設定するので、黒レベルが適切に再生されず、黒浮きした画面になってしまうという問題があった。
【０００９】
この問題を解決するために、過去種々の方法が開発されている。例えば特開平5-145790で開示されているように、表示装置の使用者があらかじめ映像信号に水平・垂直同期信号が付加されているかどうかを表示装置内の切換スイッチで設定しておくという方法があるが、多くの使用者にとって表示装置の動作原理や映像信号のフォーマットについての知識は馴染みの薄いものであり、このような操作は負担が大きく、黒浮きした画面を見て故障と誤認してしまう可能性もある。
【００１０】
また、特開平10-42166で、入力される水平・垂直同期信号とあらかじめ表示装置側で設定してある表示モードとを比較して、映像信号に水平・垂直同期信号が付加されているか判断するという方法が開示されているが、この場合でも事前にどのモードが映像信号に水平・垂直同期信号が付加されているか設定しなければならず、また、それ以外のモードで映像信号に水平・垂直同期信号が付加されていた場合には対応できない。
【００１１】
さらに、３線・４線・５線式入力に関係無く、全てクランプパルスの位相をパックポーチ期間内になるように設定するという方法もある。この方法にすれば、使用者があらかじめ表示装置を操作して設定するという煩わしさからは開放されるが、４線・５線式の入力信号の中には例えば600nsecといった極端にパックポーチ期間の短い信号があり、このような信号に対応するため、クランプパルスの幅が制約され、安定した黒レベルの再生が行えなくなる可能性がある。
【００１２】
そして、映像信号に複合同期信号が付加されているかどうかの判定を自動的に行い、その判定に応じてクランプパルスの位相および幅を決定するという方法も提案されている。  例えば特開平5-216423で開示されている方法では、映像信号と別入力の同期信号を加算し、その振幅を基準値と比較して映像信号に同期信号が付加されているかどうかを判定しているが、この場合、映像信号の同期レベルや別入力の同期信号の振幅値が常に一定であることが前提であるのに対して、実際の信号ではその保証は無く、安定して判定させるのは難しい。
【００１３】
また、特開平7-15742では別入力の同期信号でマルチバイブレータにトリガをかけ、映像信号から同期分離した出力でマルチバイブレータをリセットする構成により映像信号に同期信号が付加されている時は、常にマルチバイブレータからパルスが出力されるようにし、そのパルスを次段のマルチバイブレータに供給することで、次段のマルチバイブレータの反転出力がLow(０Ｖ)レベルを維持することにより、映像信号に同期信号が付加されていると判定し、映像信号に同期信号が付加されていない時には、別入力の同期信号でマルチバイブレータにトリガをかけても映像信号からの同期分離出力は一定レベルのままなのでマルチバイブレータにリセットがかからずパルスが出力されないため、次段のマルチバイブレータにはトリガパルスが入力されず、反転出力はHighレベルのままとなることで、映像信号には同期信号が付加されていないと判定する方法が開示されている。
【００１４】
【発明が解決しようとする課題】
この方法の場合には、映像信号の同期分離出力と別入力の同期信号にはノイズが重畳されていないことが前提になる。ノイズが重畳されていると、映像信号に同期信号が付加されているかの判定が誤り、クランプパルスの位置が正規の位置でなくなることになる。ここで、別入力の同期信号はディジタル信号でありノイズに対して安定しているが、映像信号の同期分離出力は、特に映像信号に同期信号が付加されていない時には、同期分離回路が安定して動作しない場合があり、ノイズが重畳されてしまうことがある。
【００１５】
【課題を解決するための手段】
前記課題を解決するために、本発明のクランプ回路は、映像信号に同期信号が付加されているかどうかの判定を、前記映像信号を同期分離した出力と、別経路より入力されている水平同期信号もしくは複合同期信号の其々の信号変化タイミングにおける相互の信号レベルが予め想定したものであるか判定することによって行い、その結果に基づいて自動的にクランプパルスの位相および幅を制御することを特徴としたものである。
【００１６】
本発明によれば、同期分離出力にノイズが重畳されていても、別経路より水平同期信号もしくは複合同期信号が入力され、なおかつ映像信号に水平・垂直複合同期信号が付加されている場合は、バックポーチ期間にクランプパルスを発生し、水平・垂直同期信号が付加されていない場合は、水平同期期間の開始直後からクランプパルスを発生するという入力映像信号に応じた適切な切替え動作が自動的かつノイズの影響を受けることなく可能となるクランプ回路を提供できる。
【００１７】
【発明の実施の形態】
本願の第１の発明は、映像信号に同期信号が付加されているかどうかの判定を、前記映像信号を同期分離した出力と、別経路より入力されている水平同期信号もしくは複合同期信号の其々の信号変化タイミングにおける相互の信号レベルが予め想定したものであるか判定することによって行い、その結果に基づいて自動的にクランプパルスの位相および幅を制御することを特徴としたものであり、前記映像信号を同期分離した出力にノイズが重畳されていても前記其々の信号変化タイミングにおける相互の信号レベルが予め規定したレベルかどうか判定され、ノイズによる誤認識、誤動作を防止するという作用を有する。
【００１８】
つぎに、本願の第２の発明は、映像信号から同期信号を分離する同期分離手段と、前記同期分離手段の出力および別経路より入力されている水平同期信号もしくは複合同期信号を入力として各入力の信号変化タイミングにおける相互の信号レベルが予め想定したものであるか判定することによって前記映像信号に前記同期信号が付加されているかどうかを判定しその結果を判定結果信号として出力する同期信号付加判定手段と、前記判定結果信号に基きクランプパルスの位相および幅を規定するクランプパルス制御手段と、前記別経路より入力されている水平同期信号もしくは複合同期信号を入力とし、前記クランプパルス制御手段の出力に従った位相と幅を有する前記クランプパルスを出力するクランプパルス生成回路とを備えることを特徴としたものであり、前記映像信号を同期分離した出力にノイズが重畳されていても前記其々の信号変化タイミングにおける相互の信号レベルが予め想定したレベルかどうか判定されることにより判定結果信号にノイズの影響が反映されることはなく、ノイズによる誤認識、誤動作を防止するという作用を有する。
【００１９】
つぎに、本願の第３の発明は、第２の発明に係るクランプ回路において、前記同期信号付加判定手段として、前記別経路より入力されている水平同期信号もしくは複合同期信号パルスの立上り・立下りタイミングでの前記同期分離手段の出力レベルを保持する第一および第二のフリップフロップと、前記同期分離手段の出力パルスの立上り・立下りタイミングでの前記別経路より入力されている水平同期信号もしくは複合同期信号の出力レベルを保持する第三および第四のフリップフロップと、前記同期分離手段の出力が映像信号に同期信号が付加されているかどうかの判定結果信号を出力するように前記第一・第二および第三・第四のフリップフロップの各反転・非反転出力のいずれかを入力とする論理積回路とで構成することを特徴としたものであり、前記映像信号を同期分離した出力にノイズが重畳されていても前記第一・第二および第三・第四のフリップフロップの一部もしくは全ての出力が予め想定したレベルと異なることになり、判定結果信号は偽となるため、ノイズによる誤認識、誤動作を防止するという作用を有する。
【００２０】
つぎに、本願の第４の発明は、第２の発明もしくは第３の発明に係るクランプ回路において、前記同期信号付加判定手段として、前記別経路より入力されている水平同期信号もしくは複合同期信号と前記同期分離手段の出力の其々の信号変化タイミングごとに相互の信号レベルを確認し、その結果が想定していた論理レベルでは無かった時に前記第一・第二および第三・第四のフリップフロップを初期化する手段を設けたことを特徴としたものであり、、前記映像信号を同期分離した出力にノイズが重畳されていても前記其々の信号変化タイミングごとに相互の信号レベルが想定していた論理レベルとは異なることが判定される度に前記第一・第二および第三・第四のフリップフロップが初期化されるため、判定結果信号にノイズの影響が反映されることはなく、ノイズによる誤認識、誤動作を防止するという作用を有する。
【００２１】
つぎに、本願の第５の発明は、第２の発明に係るクランプ回路において、前記同期信号付加判定手段として、前記別経路より入力されている水平同期信号もしくは複合同期信号パルスの前縁部のタイミングでの前記同期分離手段の出力レベルを保持する第一のフリップフロップと、前記第一のフリップフロップの出力が前記映像信号に同期信号が付加されていた場合に真となる側の論理出力を一方の入力とし前記別経路より入力されている水平同期信号もしくは複合同期信号を他方の入力とする第一の論理積回路と、前記第一の論理積回路の出力を前記同期分離手段の出力パルスの前縁部のタイミングで保持する第二のフリップフロップと、前記第二のフリップフロップの出力が前記映像信号に同期信号が付加されていた場合に真となる側の論理出力を一方の入力とし前記同期分離手段の出力パルスを他方の入力とする第二の論理積回路と、前記第二の論理積回路の出力を前記同期分離手段の出力パルスの後縁部のタイミングで保持する第三のフリップフロップと、前記別経路より入力されている水平同期信号もしくは複合同期信号パルスの後縁部のタイミングより微少時間遅らせたタイミングで前記第三のフリップフロップの出力レベルを取込んで前記判定結果信号を出力するフリップフロップと、前記別経路より入力されている水平同期信号もしくは複合同期信号パルスの後縁部のタイミングより微少時間遅らせたタイミングよりさらに微少時間遅らせたタイミングで前記第一・第二・第三のフリップフロップを初期化する手段とを設けたことを特徴としたものであり、前記別経路より入力されている水平同期信号もしくは複合同期信号のパルス入力ごとに前記映像信号に同期信号が付加されているかどうか判定されることになり、より確実にノイズによる誤認識、誤動作を防止するという作用を有する。
【００２２】
つぎに、本願の第６の発明は、第２の発明もしくは第３の発明もしくは第４の発明もしくは第５の発明に係るクランプ回路において、前記同期信号付加判定手段として、前記判定結果信号が前記映像信号に同期信号が付加されていたと判定された出力レベルの時にカウントが可能となり、前記判定結果信号が前記映像信号に同期信号が付加されていたと判定された出力レベルから変化した時に初期化されるカウンタと、前記カウンタのカウント値が水平周期に比べて十分長い周期の設定値まで到達した時に検出信号を出力するフリップフロップとで構成されるノイズフィルタを備えたことを特徴としたものであり、前記映像信号を同期分離した出力に極めて同期信号に類似したノイズが重畳され、万一前記判定結果信号が誤認識したとしても、前記カウンタのカウント値が前記水平周期に比べて十分長い周期の設定値まで到達することはないため前記フリップフロップが誤った出力をすることはなく、より確実にノイズによる誤認識、誤動作を防止するという作用を有する。
【００２３】
つぎに、本願の第７の発明は、第２の発明に係るクランプ回路において、前記別経路より入力されている水平同期信号もしくは複合同期信号に極性制御回路を設けたことを特徴としたものであり、前記別経路より入力されている水平同期信号もしくは複合同期信号の極性を後段の動作を正常にするような極性に設定できることにより、前記別経路より入力されている水平同期信号もしくは複合同期信号の極性に依存することなく、前記同期信号付加判定手段が正常に動作するという作用を有する。
【００２４】
つぎに、本願の第８の発明は、第２の発明に係るクランプ回路において、前記同期分離手段の出力に極性制御回路を設けたことを特徴としたものであり、前記同期分離手段の出力を後段の動作を正常にするような極性に設定できることにより、前記同期分離手段の出力の極性に依存することなく、前記同期信号付加判定手段が正常に動作するという作用を有する。
【００２５】
（実施の形態１）
以下に本発明の請求項１および請求項２および請求項３に記載された発明の実施の形態について図１、図２、図３、図４、図５および図６を用いて説明する。
【００２６】
図１は本発明に関わるブロック図を示し、図１において１は同期分離手段としての同期分離回路で、入力される映像信号aの最下位レベルをクランプし、最下位レベルより例えば0.1Vや0.2Vなど微少電圧だけ上のレベルをスライスしてディジタル信号として同期分離出力信号ｂを出力する。２は同期信号付加判定手段としての同期信号付加判定回路で、同期分離回路１からの同期分離出力信号ｂと別経路より入力されている水平同期信号もしくは複合同期信号ｃ(以下、外部水平同期信号ｃと略す）とを入力とし、後述する方法で映像信号aに同期信号が付加されているかどうかを判定結果信号ｄとして出力する。
【００２７】
3はクランプパルス制御手段としてのCPUで、同期信号付加判定回路２に初期化信号eを印加して同期信号付加判定回路２を初期化したり、同期信号付加判定回路２の判定結果信号ｄを読取ってそれをもとにクランプパルスの位相や幅を規定し、制御信号ｆとして出力したりする。４はクランプパルス生成回路であり、外部水平同期信号ｃをトリガにして、制御信号ｆに基づいた位相やパルス幅を有するクランプパルスを出力する。
【００２８】
図２は実施の形態１における同期信号付加判定回路２の回路図で、図２において201はパルス立上り・立下り検出回路１で、同期分離出力信号ｂの立上りトリガパルス2a、立下りトリガパルス2bを出力する。202はパルス立上り・立下り検出回路２で、外部水平同期信号ｃの立上りトリガパルス2c、立下りトリガパルス2dを出力する。203および204はそれぞれ第一、第二のフリップフロップであり、同期分離出力信号ｂをデータ入力とし、第一のフリップフロップは外部水平同期信号ｃの立上りトリガパルス2cをクロックとし、第二のフリップフロップは外部水平同期信号ｃの立下りトリガパルス2dをクロックとしている。
【００２９】
205および206はそれぞれ第三、第四のフリップフロップであり、外部水平同期信号ｃをデータ入力とし、第三のフリップフロップは同期分離出力信号ｂの立上りトリガパルス2aをクロックとし、第四のフリップフロップは同期分離出力信号ｂの立下りトリガパルス2bをクロックとしている。207は論理積回路であり、第一のフリップフロップ203の反転出力と、第二のフリップフロップ204の非反転出力と、第三のフリップフロップ205の非反転出力と、第四のフリップフロップ206の反転出力を入力とし、論理積結果を判定結果信号ｄとして出力する。
【００３０】
なお、ここでは映像信号に同期信号が付加されていた場合に、同期分離出力信号ｂは正極性パルス信号であり、外部水平同期信号cも正極性パルス信号であるものとする。また、初期化信号eにより、第一と第四のフリップフロップはプリセットされ、第二と第三のフリップフロップはリセットされるように構成されているものとする。
【００３１】
図３は映像信号aに同期信号が付加されている場合の同期信号付加判定回路２の動作シーケンスを示すものである。図３で(a)は同期信号が付加されている映像信号の例であり、 同期分離回路１は付加されている同期信号の最下位レベルを検知し、(a)のVｓで示しているそれより微少電圧だけ上のレベルでスライスし、ディジタル信号として(b)に示すような同期分離出力信号ｂを出力する。
【００３２】
なお、このとき(b)のTdで示すような例えば40nsecから100nsecといった同期分離による遅延が発生する。(c)は外部水平同期信号cであり、基本的には同期分離遅延分、同期分離出力信号ｂより位相が先行している。(d)は202のパルス立上り・立下り検出回路２からの立上りトリガパルス2cにより同期分離出力信号ｂのレベルを取込んだ第一のフリップフロップ203の反転出力である。この場合、同期分離出力信号ｂのLowレベルを取込んでいるので反転出力はHighレベルとなる。以下同様に(e)は第三のフリップフロップ205の非反転出力結果であり、(f)は第二のフリップフロップ204の非反転出力結果、(g)は第四のフリップフロップ206の反転出力結果となる。(h)は論理積回路207の判定結果信号dであり、(d)〜(g)を入力した結果として映像信号aに同期信号が付加されているとみなし、同期分離出力信号ｂが立下がった直後にHighレベルになっている。
【００３３】
また、図５は映像信号aに同期信号が付加されている場合のクランプパルスの生成手順を簡略に示したものであるが、図５において(a)は映像信号aであり、(b)は外部水平同期信号cである。(c)はこの場合の同期信号付加判定回路２の判定結果出力dであり、映像信号に同期信号が付加されていると判定してHighレベルが出力されている。
【００３４】
CPU３はこの判定結果出力ｄを参照して映像信号に同期信号が付加されていることを検知し、(d)に示すようにバックポーチ期間にクランプパルスを生成するようにクランプパルス生成回路４に制御信号ｆを出力する。このようにして、映像信号aに含まれる同期信号期間を避けてクランプすることが可能となり、正常な画面再生が行われる。
【００３５】
次に図４は、映像信号aに同期信号が付加されていない場合で外部水平同期信号ｃの同期期間内に同期分離出力信号ｂにノイズパルスが重畳されてしまった場合の同期信号付加判定回路２の動作シーケンスを示すものである。図４の(a)から(h)までの各信号は図３の(a)から(h)までの各信号と対応させてあるので信号名の説明は省略する。またここでは(a)に示すように映像信号aに重畳されているノイズレベルが同期分離回路１で設定してあるスライスレベルVsを上回り同期分離出力信号ｂにノイズパルスが重畳されてしまったものとする。
【００３６】
図４では(e)の第三のフリップフロップ205の非反転出力、(f)の第二のフリップフロップ204の非反転出力、(g)の第四のフリップフロップ206の反転出力でHighレベルに変化している出力があるが、(d)の第一のフリップフロップ203の反転出力がLowレベルのままなので、(h)の論理積回路207の出力はLowレベルのままとなり、映像信号aに同期信号が付加されていないことを判定結果信号dとして出力していることになる。
【００３７】
また、図６は映像信号aに同期信号が付加されていない場合のクランプパルスの生成手順を簡略に示したものであるが、図６の(a)から(d)までの各信号は図５の(a)から(d)までの各信号と対応させてあるので信号名の説明は省略する。(c)では同期信号付加判定回路２の判定結果出力dとして映像信号に同期信号が付加されていないと判定してLowレベルが出力されている。
【００３８】
CPU３はこの判定結果出力ｄを参照して映像信号に同期信号が付加されていないことを検知し、(d)に示すように外部水平同期期間にクランプパルスを生成するようにクランプパルス生成回路４に制御信号ｆを出力する。このようにして、映像信号aに同期信号が付加されていない場合には帰線期間内にタイミングの余裕をもってクランプすることが可能となる。
【００３９】
（実施の形態２）
つぎに、本発明の請求項４に記載された発明の実施の形態について図７、図８を用いて説明する。なお、ここでは映像信号に同期信号が付加されていた場合に、同期分離出力信号ｂは正極性パルス信号であり、外部水平同期信号cも正極性パルス信号であるものとする。
【００４０】
また、同期信号付加判定回路２以外の回路構成および動作は実施の形態１と同一なので説明を省略する。
【００４１】
図７は実施の形態２における同期信号付加判定回路２の回路図である。図７において201のパルス立上り・立下り検出回路１、202のパルス立上り・立下り検出回路２、第一のフリップフロップ203、第二のフリップフロップ204、第三のフリップフロップ205、第四のフリップフロップ206、論理積回路207は図２と同一の機能なので説明を省略する。
【００４２】
図７の208、209、210、211は遅延素子であり、それぞれ201のパルス立上り・立下り検出回路１の出力2a、2b、202のパルス立上り・立下り検出回路２の出力2c、2dを入力とする。図７の212、213、214、215は論理積回路であり、一方の入力をそれぞれ遅延素子208、209、210、211の出力からとし、他方の入力を212は第三のフリップフロップ205の反転出力、213は第四のフリップフロップ206の非反転出力、214は第一のフリップフロップ203の非反転出力、215は第二のフリップフロップ204の反転出力からとする。
【００４３】
216は論理和回路であり、論理積回路212、213、214、215からの出力を入力とする。217は論理和回路であり、初期化信号eを一方の入力とし、論理和回路217の出力を他方の入力として、出力を第三のフリップフロップ205と第二のフリップフロップ204のリセット入力に印加し、同時に、第四のフリップフロップ206と第一のフリップフロップ203のプリセット端子に印加する。
【００４４】
以上、遅延素子208、209、210、211と論理積回路212、213、214、215と論理和回路216、217とにより、別経路より入力されている水平同期信号もしくは複合同期信号と同期分離手段の出力の其々の信号変化タイミングごとに相互の信号レベルが予め想定したものではないと判定した時に第一・第二および第三・第四のフリップフロップを初期化する手段が構成される。
【００４５】
図８は映像信号aに同期信号が付加されていない場合で外部水平同期信号ｃの同期期間内に同期分離出力信号ｂにノイズパルスが重畳されてしまった場合の実施の形態２における同期信号付加判定回路２の動作シーケンスを示すものである。図８(a)は映像信号aであり、(b)は同期分離出力信号ｂであり、(c)は外部水平同期信号cである。(d)は論理和回路217の出力であり、この出力で第一のフリップフロップ203、第二のフリップフロップ204、第三のフリップフロップ205、第四のフリップフロップ206が初期化される。
【００４６】
ここでは外部水平同期信号ｃの立上りタイミングでの同期分離出力信号ｂのレベルが不正規であり、また同期分離出力信号ｂの立上り、立下りタイミングでレベルが不正規となる場合があり、それぞれ初期化パルスが出力されている。(e)は第一のフリップフロップ203の出力、(f)は第三のフリップフロップ205の出力、(g)は第二のフリップフロップ204の出力、(h)は第四のフリップフロップ206の出力であり、(f)、(g)、(h)は途中でノイズなどによりHighレベルになってしまうが、(d)の初期化パルスにより初期化されてLowレベルに戻っている。(i）は判定結果信号ｄであるが、映像信号に同期信号が付加されていないことを示すLowレベルを安定して維持できることになる。なお、映像信号に同期信号が付加されている場合の実施の形態２の同期信号付加判定回路２の動作は、実施の形態１の同期信号付加判定回路２の動作と全く同一なため、省略する。
【００４７】
（実施の形態３）
つぎに、本発明の請求項５に記載された発明の実施の形態について図９、図10、図11を用いて説明する。なお、ここでは映像信号に同期信号が付加されていた場合に、同期分離出力信号ｂは正極性パルス信号であり、外部水平同期信号cも正極性パルス信号であるものとする。
【００４８】
また、同期信号付加判定回路２以外の回路構成および動作は実施の形態１と同一なので説明を省略する。  図９は実施の形態３における同期信号付加判定回路２の回路図である。図９において201のパルス立上り・立下り検出回路１、202のパルス立上り・立下り検出回路２、第一のフリップフロップ203は図２と同一の機能なので説明を省略する。
【００４９】
図９の220は第一の論理積回路であり、外部水平同期信号ｃと第一のフリップフロップ203の反転出力との論理積を出力する。205は第二のフリップフロップであり、201のパルス立上り・立下り検出回路１からの立上りトリガパルス2aにより、第一の論理積回路220の出力を保持する。
【００５０】
221は第二の論理積回路であり、同期分離出力信号ｂと第二のフリップフロップ205の非反転出力との論理積を出力する。204は第三のフリップフロップであり、202のパルス立上り・立下り検出回路２からの立下りトリガパルス2dにより、第二の論理積回路221の出力を保持する。222は遅延素子であり、202のパルス立上り・立下り検出回路２の立下りトリガパルス2dを入力とする。223はフリップフロップであり、第三のフリップフロップの非反転出力を遅延素子222で遅延された202のパルス立上り・立下り検出回路２の立下りトリガパルス2d入力ごとに取込み、判定結果信号ｄとして保持する。
【００５１】
224は遅延素子であり、遅延素子222の出力を入力とし、遅延させる。225は論理和回路であり、初期化信号eを一方の入力とし、遅延素子224の出力を他方の入力として、出力を第一のフリップフロップ203のプリセット入力と、第二のフリップフロップ205と第三のフリップフロップ204のリセット入力に印加する。
【００５２】
図10は映像信号aに同期信号が付加されている場合の実施の形態３における同期信号付加判定回路２の動作シーケンスを示すものである。図10で(a)は同期信号が付加されている映像信号aの例である。(b)は同期分離出力信号ｂであり、(c)は外部水平同期信号cである。
【００５３】
(d)は第一のフリップフロップ203の反転出力であり、(e)は第二のフリップフロップ205の非反転出力であり、(f)は第三のフリップフロップ204の非反転出力である。(g)は遅延素子222の出力であり、(h)はフリップフロップ223の非反転出力であり、判定結果信号ｄでもある。(i)は遅延素子224の出力である。映像信号aに同期信号が付加されている場合には(d)、(e)、(f)に示すように外部水平同期信号ｃの立上り(前縁部）、同期分離出力信号ｂの立上り(前縁部）、外部水平同期信号ｃの立下り(後縁部）の順で第一のフリップフロップ203の反転出力(d)、第二のフリップフロップ205の非反転出力(e)、第三のフリップフロップ204の非反転出力(f)が順次Highレベルになり、その結果、(g)に示す遅延素子222のタイミングでフリップフロップ223に取込まれ、(h)で示すように判定結果信号ｄとして映像信号aに同期信号が付加していることを現すHighレベルを出力する。
【００５４】
また、フリップフロップ223に取込まれた後、(i)に示すように遅延素子224の出力で第一のフリップフロップ203、第二のフリップフロップ205、第三のフリップフロップ204が初期化されるため、外部水平同期信号の入力ごとに同期期間のみ映像信号に同期信号が付加しているかどうかの判定動作が繰り返して行われるので、より確実な判定が可能となる。
【００５５】
図11は映像信号aに同期信号が付加されていない場合の実施の形態３における同期信号付加判定回路２の動作シーケンスを示すものである。図11の(a)から(i)までの各信号は図10の(a)から(i)までの各信号と対応させてあるので信号名の説明は省略する。この場合には、(d)で示すように外部水平同期信号ｃの立上り(前縁部）で取込まれた第一のフリップフロップ203の反転出力がLowレベルのままとなり、以降、第一の論理積回路220の作用で第二のフリップフロップ205の非反転出力もLowレベルのままとなり、第三のフリップフロップ204の非反転出力も(f)に示すようにLowレベルとなり、(h)で示すように判定結果信号ｄとして映像信号aに同期信号が付加していないことを現すLowレベル出力のままとなる。
【００５６】
（実施の形態４）
つぎに、本発明の請求項６に記載された発明の実施の形態について図12、図13、図14を用いて説明する。なお、前述した実施の形態と同じ構成については同じ符号を用い、説明を省略する。 図12において230は判定結果信号ｄを入力とし、判定結果信号ｄのパルス立下りをトリガパルスとして出力するパルス立下り検出回路である。
【００５７】
231はカウンタであり、判定結果信号ｄをカウントイネーブル入力とし、パルス立下り検出回路230からのパルス立下りトリガパルスをリセット入力とし、任意のクロックをクロック入力とする。232はフリップフロップであり、カウンタ231の水平周期に比べて十分に長い周期のタイミング出力QNがクロック入力された時に、判定結果信号ｄを保持し、第二の判定結果信号ｄ'として出力する。以上のパルス立下り検出回路230、カウンタ231、フリップフロップ232によりノイズフィルタが形成される。
【００５８】
図13は、映像信号に同期信号が付加されているとして、判定結果信号ｄがHighレベルを出力しているときの動作シーケンスを示したもので、(a)は判定結果信号ｄであり、(b)はカウンタ231のQN出力であり、(c)は第二の判定結果信号ｄ'である。(a)に示すように判定結果信号ｄは安定してHighレベルを維持しており、その場合はカウンタ231がカウントイネーブルとなりカウント動作が継続され、(b)にあるようにカウンタがQNまで達し、フリップフロップ232にクロックとして出力される。フリップフロップ232はカウンタ232のQNによりクロック入力されたタイミングでの判定結果信号ｄを取込み、その結果(c)のようにHighレベルが出力されることになる。
【００５９】
図14は、映像信号に同期信号に類似したノイズが重畳されたために判定結果信号ｄが誤認識して一定期間Highレベルを出力してしまった時の動作シーケンスを示したもので、(a)は判定結果信号ｄであり、(b)はパルス立下り検出回路230からのパルス立下りトリガパルス出力であり、(c)はカウンタ231のQN出力である。(a)で示すように最初は判定結果信号ｄがHighレベルになるため、カウンタ231のカウント動作は開始される。しかし、途中で判定結果信号ｄがLowレベルに落ちてしまうため、(b)で示すようにパルス立下り検出回路230が起動されパルス立下りトリガパルスが出力されるため、カウンタ231がリセットされてしまうことになる。
【００６０】
その結果、(c)に示すようにカウンタ231のQN出力は立ち上がらないことになり、第二の判定結果信号ｄ'はLowレベルのままとなる。
【００６１】
（実施の形態５）
つぎに、本発明の請求項７および８に記載された発明の実施の形態について図15を用いて説明する。なお、前述した実施の形態と同じ構成については同じ符号を用い、説明を省略する。  ５は第一の排他的論理和回路であり、同期分離回路１の同期分離出力信号ｂを一方の入力とし、CPU3より出力される極性設定信号１を他方の入力とし、出力を同期信号付加判定回路２に供給する。
【００６２】
６は第二の排他的論理和回路であり、外部水平同期信号cを一方の入力とし、CPU3より出力される極性設定信号2を他方の入力とし、出力を同期信号付加判定回路２とクランプパルス生成回路４に供給する。
【００６３】
かかる構成によれば、例えば同期分離出力信号ｂと外部水平同期信号ｃが負極性であって、同期信号付加判定回路２側が両方とも正極性の場合に正常な動作をする場合であっても、CPU3が極性設定信号１および極性設定信号2をHighレベルに設定することによって、第一の排他的論理和回路および第二の排他的論理和回路の作用により同期分離出力信号ｂと外部水平同期信号ｃの極性が正極性に変換され同期信号付加判定回路２が正常に動作することができるというように入力される極性にかかわらず、同期信号付加判定回路２を正常に動作させることが可能となる。
【００６４】
【発明の効果】
以上のように本発明のクランプ回路によれば、映像信号に同期信号が付加されているか否かの判定を同期分離回路からの同期分離出力信号と別経路より入力されている水平同期信号もしくは複合同期信号とのそれぞれのパルス変化タイミングにおける相互の信号レベルをチェックすることにより行うことで、同期分離ノイズの影響を受けず的確な位相と幅を有するクランプ回路を提供できる。
【図面の簡単な説明】
【図１】本発明の実施の形態１におけるクランプ回路のブロック図
【図２】本発明の実施の形態１における同期信号付加判定回路の回路図
【図３】本発明の実施の形態１における映像信号に同期信号が付加されている場合の同期信号付加判定回路の動作を説明するタイミングチャート
【図４】本発明の実施の形態１における映像信号に同期信号が付加されていない場合の同期信号付加判定回路の動作を説明するタイミングチャート
【図５】本発明の実施の形態１における映像信号に同期信号が付加されている場合のクランプ回路の動作を説明するタイミングチャート
【図６】本発明の実施の形態１における映像信号に同期信号が付加されていない場合のクランプ回路の動作を説明するタイミングチャート
【図７】本発明の実施の形態２における同期信号付加判定回路の回路図
【図８】本発明の実施の形態２における映像信号に同期信号が付加されていない場合の同期信号付加判定回路の動作を説明するタイミングチャート
【図９】本発明の実施の形態３における同期信号付加判定回路の回路図
【図１０】本発明の実施の形態３における映像信号に同期信号が付加されている場合の同期信号付加判定回路の動作を説明するタイミングチャート
【図１１】本発明の実施の形態３における映像信号に同期信号が付加されていない場合の同期信号付加判定回路の動作を説明するタイミングチャート
【図１２】本発明の実施の形態４におけるノイズフィルタの回路図
【図１３】本発明の実施の形態４における同期信号付加判定回路が誤動作していない場合のノイズフィルタの動作を説明するタイミングチャート
【図１４】本発明の実施の形態４における同期信号付加判定回路が誤動作した場合のノイズフィルタの動作を説明するタイミングチャート
【図１５】本発明の実施の形態５におけるクランプ回路のブロック図
【符号の説明】
１  同期分離回路
２  同期信号付加判定回路
３  CPU
４  クランプパルス生成回路
５,６  排他的論理和回路
201,202  パルス立上り立下り検出回路
203,204,205,206,223  フリップフロップ
207   論理積回路
212,213,214,215,220,221   論理積回路
216   論理和回路
217,225  論理和回路
208,209,210,211,222,224  遅延素子
【図１】
0004106781.tif 000002
【図２】
0004106781.tif 000003
【図３】
0004106781.tif 000004
【図４】
0004106781.tif 000005
【図５】
0004106781.tif 000006
【図６】
0004106781.tif 000007
【図７】
0004106781.tif 000008
【図８】
0004106781.tif 000009
【図９】
0004106781.tif 000010
【図１０】
0004106781.tif 000011
【図１１】
0004106781.tif 000012
【図１２】
0004106781.tif 000013
【図１３】
0004106781.tif 000014
【図１４】
0004106781.tif 000015
【図１５】
0004106781.tif 000016